(57)【要約】【課題】オペレータが操作しなければならない設定キーが多数存在する場合でも、当該オペレータに負担をかけない組合せ計量装置を提供する。【解決手段】組合せ計量装置に、本装置における個々の運転条件を設定するためにオペレータによって操作される複数の設定キーと、複数の設定キーを表示するタッチパネル３３と、複数の設定キーの個々の表示順序を順序データ３１１として記憶する記憶部３１と、記憶部３１に記憶された順序データ３１１に示される表示順序に従って、複数の設定キーの配置位置を決定することによりタッチパネル３３に複数の設定キーを表示させる表示制御部３００と、記憶部３１に記憶された順序データ３１１に示される表示順序をオペレータの操作に応じて変更する変更部３０１とを設ける。【選択図】図３
2009264756.tif 000002
【特許請求の範囲】
【請求項１】
物品を複数の計量手段にて計量し、該計量された物品の計量値を組み合わせることで所定重量の物品を排出する組合せ計量装置であって、
本装置における個々の運転条件を設定するためにオペレータによって操作される複数の設定キーと、
前記複数の設定キーを表示するタッチパネルと、
前記複数の設定キーの個々の表示順序を記憶する記憶手段と、
前記記憶手段に記憶された表示順序に従って、前記複数の設定キーの配置位置を決定することにより前記タッチパネルに前記複数の設定キーを表示させる表示制御手段と、
前記記憶手段に記憶された前記表示順序をオペレータの操作に応じて変更する変更手段と、
を備えることを特徴とする組合せ計量装置。
【請求項２】
請求項１に記載の組合せ計量装置であって、
前記複数の設定キーは運転条件としての目標重量値を設定する目標重量値設定キーを含み、前記目標重量値設定キーは前記表示順序において上位に設定されることを特徴とする組合せ計量装置。
【請求項３】
請求項１または２に記載の組合せ計量装置であって、
前記変更手段は、オペレータによる設定キーの操作によって前記表示順序内における前記設定キーの順位を繰り上げるかまたは繰り下げるように前記表示順序を変更することを特徴とする組合せ計量装置。
【請求項４】
請求項１または２に記載の組合せ計量装置であって、
前記変更手段は、オペレータによる設定キーの操作順に応じて前記表示順序を変更することを特徴とする組合せ計量装置。
【請求項５】
請求項１ないし４のいずれかに記載の組合せ計量装置であって、
前記表示制御手段は、前記表示順序内における順位が基準順位より低い設定キーを、前記基準順位以上の設定キーより小さく縮小して表示させることを特徴とする組合せ計量装置。
【請求項６】
請求項１ないし４のいずれかに記載の組合せ計量装置であって、
前記表示制御手段は、前記複数の設定キーのうち、前記タッチパネルにおける初期表示領域に配置されない設定キーを、前記初期表示領域に配置される設定キーに比べて小さく縮小して表示させることを特徴とする組合せ計量装置。
【請求項７】
請求項１ないし６のいずれかに記載の組合せ計量装置であって、
前記表示制御手段は、前記表示順序内における順位が基準順位より低い設定キーを、前記タッチパネルにおける初期表示領域に配置されない設定キーとして表示させることを特徴とする組合せ計量装置。
【請求項８】
請求項１ないし７のいずれかに記載の組合せ計量装置であって、
前記変更手段は、オペレータによって入力された変更指示に基づいて前記表示順序を変更することを特徴とする組合せ計量装置。
【請求項９】
請求項１ないし８のいずれかに記載の組合せ計量装置であって、
前記表示制御手段は、前記複数の設定キーのうち、オペレータによって指定された指定設定キー以降の順位の設定キーを、前記タッチパネルにおける初期表示領域に配置されない設定キーとして表示させることを特徴とする組合せ計量装置。
【発明の詳細な説明】
【技術分野】
【０００１】
本発明は、物品を計量して所定重量に組み合わせる組合せ計量装置の技術に関する。より詳しくは、組合せ計量装置を操作するオペレータが当該組合せ計量装置を操作する際の利便性を向上させる技術に関する。
【背景技術】
【０００２】
組合せ計量装置では、オペレータが、当該装置の動作を決定する様々な運転条件を予め設定しておく作業が必要となる。例えば、物品を組み合わせる際の指標となる目標重量値は、一般に、物品の品種等が変更されるたびに変更されるべき値である。
【０００３】
このような運転条件を入力する構成として、計量装置にタッチパネル式の表示部を設け、当該表示部に運転条件を入力するための複数の設定キー（ソフトウェアスイッチ）を表示させる技術が知られている。しかしながら、組合せ計量装置では、運転条件として設定しなければならない項目が多数存在するため、タッチパネルに表示されている複数の設定キーから目的の設定キーを探すのが煩雑であるという問題があった。
【０００４】
そこで、従来より、タッチパネルに表示される設定キーの数を減らす技術が提案されている。例えば、特許文献１には、操作する必要のない設定キーをタッチパネルに表示させない技術が提案されている。
【０００５】
【特許文献１】特許第３３２３９７２号公報
【発明の開示】
【発明が解決しようとする課題】
【０００６】
ところが、特許文献１に記載されている技術では、操作しない設定キーを表示させない技術であるため、操作しなければならない設定キー自体が多数存在する状況では、何ら解決にはならないという問題があった。また、設定キーには、設定値を確認するための表示欄としての機能もあり、操作しない場合でも表示すべき場合がある。
【０００７】
本発明は、上記課題に鑑みてなされたものであり、オペレータが操作しなければならない設定キーが多数存在する場合でも、当該オペレータが操作に迷うことのない組合せ計量装置を提供することを目的とする。
【課題を解決するための手段】
【０００８】
上記の課題を解決するため、請求項１の発明は、物品を複数の計量手段にて計量し、該計量された物品の計量値を組み合わせることで所定重量の物品を排出する組合せ計量装置であって、本装置における個々の運転条件を設定するためにオペレータによって操作される複数の設定キーと、前記複数の設定キーを表示するタッチパネルと、前記複数の設定キーの個々の表示順序を記憶する記憶手段と、前記記憶手段に記憶された表示順序に従って、前記複数の設定キーの配置位置を決定することにより前記タッチパネルに前記複数の設定キーを表示させる表示制御手段と、前記記憶手段に記憶された前記表示順序をオペレータの操作に応じて変更する変更手段とを備えることを特徴とする。
【０００９】
また、請求項２の発明は、請求項１の発明に係る組合せ計量装置であって、前記複数の設定キーは運転条件としての目標重量値を設定する目標重量値設定キーを含み、前記目標重量値設定キーは前記表示順序において上位に設定されることを特徴とする。
【００１０】
また、請求項３の発明は、請求項１または２の発明に係る組合せ計量装置であって、前記変更手段は、オペレータによる設定キーの操作によって前記表示順序内における前記設定キーの順位を繰り上げるかまたは繰り下げるように前記表示順序を変更することを特徴とする。
【００１１】
また、請求項４の発明は、請求項１または２の発明に係る組合せ計量装置であって、前記変更手段は、オペレータによる設定キーの操作順に応じて前記表示順序を変更することを特徴とする。
【００１２】
また、請求項５の発明は、請求項１ないし４のいずれかの発明に係る組合せ計量装置であって、前記表示制御手段は、前記表示順序内における順位が基準順位より低い設定キーを、前記基準順位以上の設定キーより小さく縮小して表示させることを特徴とする。
【００１３】
また、請求項６の発明は、請求項１ないし４のいずれかの発明に係る組合せ計量装置であって、前記表示制御手段は、前記複数の設定キーのうち、前記タッチパネルにおける初期表示領域に配置されない設定キーを、前記初期表示領域に配置される設定キーに比べて小さく縮小して表示させることを特徴とする。
【００１４】
また、請求項７の発明は、請求項１ないし６のいずれかの発明に係る組合せ計量装置であって、前記表示制御手段は、前記表示順序内における順位が基準順位より低い設定キーを、前記タッチパネルにおける初期表示領域に配置されない設定キーとして表示させることを特徴とする。
【００１５】
また、請求項８の発明は、請求項１ないし７のいずれかの発明に係る組合せ計量装置であって、前記変更手段は、オペレータによって入力された変更指示に基づいて前記表示順序を変更することを特徴とする。
【００１６】
また、請求項９の発明は、請求項１ないし８のいずれかの発明に係る組合せ計量装置であって、前記表示制御手段は、前記複数の設定キーのうち、オペレータによって指定された指定設定キー以降の順位の設定キーを、前記タッチパネルにおける初期表示領域に配置されない設定キーとして表示させることを特徴とする。
【発明の効果】
【００１７】
請求項１ないし９に記載の発明は、個々の運転条件を設定するためにオペレータによって操作される複数の設定キーと、複数の設定キーを表示するタッチパネルと、複数の設定キーの個々の表示順序を記憶する記憶手段と、記憶手段に記憶された表示順序に従って、複数の設定キーの配置位置を決定することによりタッチパネルに複数の設定キーを表示させる表示制御手段と、記憶手段に記憶された表示順序をオペレータの操作に応じて変更する変更手段とを備えることにより、オペレータの操作に応じてタッチパネルにおける設定キーの配置が変更されるので、オペレータに応じたレイアウトに変更でき、利便性が向上する。
【００１８】
請求項３に記載の発明は、オペレータによる設定キーの操作によって表示順序内における設定キーの順位を繰り上げるかまたは繰り下げるように表示順序を変更することにより、通常の操作を行うだけで、操作画面が自動的にカスタマイズされる。
【００１９】
請求項４に記載の発明は、オペレータによる設定キーの操作順に応じて表示順序を変更することにより、通常の操作を行うだけで、操作画面が自動的にオペレータの好みに応じた表示順序にカスタマイズされる。
【００２０】
請求項５に記載の発明は、表示順序内における順位が基準順位より低い設定キーを、基準順位以上の設定キーより小さく縮小して表示させることにより、操作頻度の低い運転条件に係る設定キーであることを容易に知らせることができる。
【００２１】
請求項６に記載の発明は、複数の設定キーのうち、タッチパネルにおける初期表示領域に配置されない設定キーを、初期表示領域に配置される設定キーに比べて小さく縮小して表示させることにより、操作頻度の低い運転条件に係る設定キーであることを容易に知らせることができる。
【００２２】
請求項７に記載の発明は、表示順序内における順位が基準順位より低い設定キーを、タッチパネルにおける初期表示領域に配置されない設定キーとして表示させることにより、操作頻度の低い設定キーが初期表示領域から除外されるので、目的の設定キーを容易に確認できるとともに、目的外の設定キーを誤って操作することを抑制できる。
【００２３】
請求項８に記載の発明は、オペレータによって入力された変更指示に基づいて表示順序を変更することにより、通常の操作のみならず、表示順序を変更するための変更指示を受け付けることにより、好みに応じて具体的に表示順序を変更できる。
【００２４】
請求項９に記載の発明は、複数の設定キーのうち、オペレータによって指定された指定設定キー以降の順位の設定キーを、タッチパネルにおける初期表示領域に配置されない設定キーとして表示させることにより、好みに応じて具体的にレイアウトを変更できる。
【発明を実施するための最良の形態】
【００２５】
以下、本発明の好適な実施の形態について、添付の図面を参照しつつ、詳細に説明する。
【００２６】
＜１．  実施の形態＞
図１は、本発明に係る組合せ計量装置１を示す概観図である。また、図２は、組合せ計量装置１の構成を示すブロック図である。組合せ計量装置１は、主に本体部２および制御部３から構成される。なお、図１において、図示を省略しているが、組合せ計量装置１の本体部２は筐体によって支持されている。また、制御部３は当該筐体に取り付けられており、本体部２とデータ通信が可能な状態で接続されている。
【００２７】
本体部２は、分散フィーダ２０、複数のトラフ２１、複数のプールホッパ２２、複数の計量ホッパ２３、複数の計量部２４および排出シュート２５を備えている。なお、図１では、いずれも２個のトラフ２１、プールホッパ２２、計量ホッパ２３および計量部２４を図示しているが、これらの構成は通常さらに多く設けられている。
【００２８】
詳細は図示しないが、分散フィーダ２０は、円錐状の振動部と当該振動部を振動させる駆動部とを備えており、組合せ計量装置１に供給される物品を複数のトラフ２１に分散させる機能を有する。すなわち、分散フィーダ２０の振動部の頂点付近に供給された物品は、振動部の斜面を滑り落ちるように周囲に向けて移動しつつ分散し、振動部の周囲を取り囲むように配置された各トラフ２１に向けて排出される。
【００２９】
各トラフ２１は、先述のように、分散フィーダ２０の周囲を取り囲むように放射状に配置されており、それぞれが分散フィーダ２０から搬入された物品を、搬送振動により、水平方向に直線的に搬送する。各トラフ２１によって搬送された物品は、それぞれのトラフ２１に対応して設けられているプールホッパ２２に投入される。
【００３０】
各プールホッパ２２は、投入された物品を内部に一時的に貯留する筐体と、制御部３からの制御信号に応じて開閉するゲートとを備えている。各プールホッパ２２は、トラフ２１から投入された物品を一時的に内部に貯留し、制御部３からの開信号に応じてゲートを開くことにより、貯留した物品を対応する計量ホッパ２３に投入する。
【００３１】
各計量ホッパ２３は、投入された物品を内部に一時的に貯留する筐体と、制御部３からの制御信号に応じて開閉するゲートとを備えている。各計量ホッパ２３は、プールホッパ２２から投入された物品を一時的に内部に貯留し、制御部３からの開信号に応じてゲートを開くことにより、貯留した物品を排出シュート２５に投入する。
【００３２】
各計量部２４は、各計量ホッパ２３ごとに設けられており、それぞれが対応する計量ホッパ２３に貯留されている物品の重量を計量（測定）することによって計量値を取得する。すなわち、組合せ計量装置１では、物品は計量ホッパ２３に貯留されている量ごとに計量される。なお、各計量部２４によって取得されたそれぞれの計量値は、制御部３に伝達される。
【００３３】
排出シュート２５は、計量ホッパ２３から投入された物品を集合させることにより組み合わせた後、所定のサイクルごとに、間欠的に外部に排出する。排出シュート２５から排出された物品は、例えば、組合せ計量装置１の下流に配置された包装機（図示せず）に投入される。
【００３４】
図２に示すように、制御部３は、各種データの演算を行うＣＰＵ３０、各種データを記憶する記憶部３１、ボタンやスイッチあるいはポインティングデバイス等で構成される操作部３２およびタッチパネル３３を備えており、一般的なコンピュータとしての機能を有している。
【００３５】
制御データ３１０は、組合せ計量装置１の個々の運転条件を格納したデータである。本実施の形態における制御データ３１０は、１つの運転条件ごとに１つのレコードが作成されるテーブル構造のデータであって、各レコードには、１つの運転条件を示す１つの条件識別子と、当該条件識別子で示される運転条件に対して設定されている条件（設定値）とが格納されている。
【００３６】
そして、制御データ３１０は、組合せ計量装置１の各構成を制御するときに、必要に応じて、ＣＰＵ３０によって参照される。例えば、運転条件「安定時間」の設定値が「４００msec」と設定されている場合、ＣＰＵ３０は計量ホッパ２３に物品が投入されてから４００msec経過するまで待機した後、当該計量ホッパ２３に投入されている物品の重量を計量部２４に計量させる。なお、組合せ計量装置１の運転が開始される際には、制御データ３１０の各レコードには運転条件に対する初期値が設定され格納されている。また、これらの運転条件は、オペレータにより設定（変更）可能とされている（詳細後述）。
【００３７】
順序データ３１１には、個々の設定キーを識別するためのキー識別子が表示順序に従って格納されている。詳細は後述するが、順序データ３１１における各キー識別子の順位が、当該キー識別子で示される設定キーのタッチパネル３３における配置位置（表示位置）を示す。
【００３８】
タッチパネル３３は、各種データを画像として画面に表示する機能を有している。特に、本実施の形態におけるタッチパネル３３は、組合せ計量装置１の運転条件に含まれる個々の運転条件を設定する複数の設定キーを表示する。
【００３９】
また、タッチパネル３３は、オペレータ（またはタッチペン等）が画面に触れた場合に、触れた画面上の位置を検出して、ＣＰＵ３０に伝達する機能を有している。言い換えれば、画面上に表示した複数の設定キーに対するオペレータの操作を受け付ける機能を有している。
【００４０】
図３は、制御部３が備える機能ブロックをデータの流れとともに示す図である。図３に示す表示制御部３００および変更部３０１が、主にＣＰＵ３０がプログラムに従って動作することにより実現される機能ブロックである。
【００４１】
図４ないし図６は、表示制御部３００によってタッチパネル３３に表示される操作画面３３０を例示する図である。
【００４２】
ＧＵＩ画面として構成されている操作画面３３０は、先述のように、表示制御部３００によって表示される画面であり、表示ウィンドウ４およびスクロールバー５が設けられている。表示ウィンドウ４は、設定キー配置画像４０を表示するための領域である。また、スクロールバー５は、表示ウィンドウ４に表示されている設定キー配置画像４０をスクロールさせる機能を有している。
【００４３】
表示制御部３００は、順序データ３１１を参照して、順序データ３１１に格納されているキー識別子を、順序データ３１１に格納されている順序に従って読み出す。そして、設定キー配置画像４０上に、読み出したキー識別子に関連づけられている画像（個々の設定キー６を表現した画像）を、順序データ３１１から読み出した順序に対応した配置位置に配置する。
【００４４】
本実施の形態では、読み出した順序に対応した順序表示ボタン７に隣接する位置に、読み出したキー識別子で示される設定キー６を配置する。図４に示す例では、「０１」と表示されている順序表示ボタン７に隣接して設定キー６ａが配置されていることから、設定キー６ａが順序データ３１１において「１位」となっていたことがわかる。同様に、順序表示ボタン７に表示されている順序は、設定キー配置画像４０における昇順となっており、順序データ３１１において順序が先の設定キー６ほど、設定キー配置画像４０において先に表示されることがわかる。
【００４５】
本実施の形態における組合せ計量装置１では、設定キー配置画像４０のタッチパネル３３における表示位置は表示ウィンドウ４によって固定されている。したがって、設定キー配置画像４０における各設定キー６の配置位置を決定することは、タッチパネル３３における各設定キー６（６ａないし６ｕ）の配置位置（表示位置）を決定することに相当する。
【００４６】
各設定キー６には、当該設定キー６を操作することにより設定することができる運転条件の名称が表示されている。例えば、図４に示す設定キー６ａには、「商品イメージ」と表示されている。したがって、これを確認することによってオペレータは、設定キー６ａが商品イメージ（物品の画像）を選択して設定するために操作される設定キー６であると容易に認識できる。
【００４７】
また、本実施の形態における各設定キー６は、当該設定キー６を操作することにより設定することができる運転条件に応じて形状や構成が異なっている。例えば、図４に示す設定キー６ａには、商品イメージを表示する領域が設けられているため、他の設定キー６よりも比較的大きなサイズになっており、下方には選択可能な商品イメージの一覧を表示させるためのプルダウンボタンが設けられている。また、図５に示す設定キー６ｊは、平均値制御の要否を二者択一的に設定するために操作される設定キー６であるが、平均値制御「しない」に対応した丸ボタンと、平均値制御「する」に対応した丸ボタンとが設けられており、いずれかの丸ボタンを操作するように構成されている。
【００４８】
なお、記憶部３１には、個々の設定キー６のキー識別子と、当該設定キー６を操作することにより設定することができる運転条件の条件識別子と、当該運転条件の名称と、当該設定キー６の画像とを互いに関連づけた対応データ（図示せず）が作成され記憶されている。表示制御部３００は、操作画面３３０を表示させる際には、適宜、この対応データを参照するものとする。
【００４９】
例えば、表示制御部３００は、順序データ３１１から取得したキー識別子で対応データを検索し、当該キー識別子に関連づけられている運転条件の名称と画像とを取得する。そして取得した画像に取得した運転条件の名称を合成してから、当該キー識別子で示される設定キー６を設定キー配置画像の所定の位置（順序データ３１１から取得した順序に応じて決定される位置）に配置する。
【００５０】
このとき、表示制御部３００は、必要に応じて、対応データから当該キー識別子に関連づけられた条件識別子を取得する。そして、取得した条件識別子で制御データ３１０を検索し、当該運転条件の現在の設定値を取得して、設定キー６に表示させる。例えば、図４に示す設定キー６ｅ（目標重量値設定キー）には、このようにして制御データ３１０から取得された設定値「１００ｇ」の文字が表示されている。これにより、オペレータは、現在の設定値を容易に確認することができ、操作する必要があるか否かの判断が容易にできる。
【００５１】
本実施の形態における組合せ計量装置１では多数の運転条件を設定する必要があるため、多数の設定キー６（本実施の形態では設定キー６ａないし６ｕ）をタッチパネル３３に表示する必要がある。したがって、設定キー配置画像４０のタッチパネル３３におけるサイズは、表示ウィンドウ４のタッチパネル３３におけるサイズよりもかなり大きなものとなってしまう。そのため、本実施の形態ではスクロールバー５によって設定キー配置画像４０をスクロールさせることにより、設定キー配置画像４０の全領域を順次、連続的に表示させることが可能なように構成されている。
【００５２】
なお、スクロールバー５が初期状態にあるとき（図４に示す位置）に表示される設定キー配置画像４０の領域を「初期表示領域」と称する。すなわち、初期表示領域は、表示制御部３００によってタッチパネル３３の画面が操作画面３３０に切り替えられたときに、最初に表示される領域である。
【００５３】
また、表示制御部３００は、順序データ３１１における順位が基準順位（本実施の形態では１０位）より低い設定キー６を、基準順位以上の設定キー６より小さく縮小して表示させる。したがって、図５に示すように、操作画面３３０において、１０番目までの設定キー６に比べて、１１番目以降の設定キー６が縮小されて表示されている。これにより、オペレータは、１１番目以降の設定キー６の操作頻度が低いことを容易に認識できる。
【００５４】
さらに、複数の設定キー６は運転条件としての目標重量値を設定する目標重量値設定キー（設定キー６ｅ：図４）を含み、目標重量値設定キーは順序データ３１１において上位に設定される。図４に示す例では、設定キー６ｅは「５位」に設定されており、初期表示領域に表示されている。目標重量値とは、組合せ計量装置１が計量値を組み合わせることで得ようとする物品（商品）の重量値であって、物品を組み合わせるための目標となる値である。本実施の形態における組合せ計量装置１では、組合せ計量装置１に特化した重要な運転条件である目標重量値を設定するための設定キー６ｅの表示順序を上位に設定することにより、オペレータの注意を特に喚起することができる。
【００５５】
図３に戻って、変更部３０１は、記憶部３１に記憶された順序データ３１１をオペレータの操作に応じて変更する。ここに言う「オペレータの操作」とは、タッチパネル３３に対する操作のみならず、操作部３２に対する操作も含まれる。すなわち、本実施の形態における変更部３０１は、操作部３２またはタッチパネル３３に対するオペレータの操作を検出して、当該操作に応じて順序データ３１１に示される表示順序を変更する。
【００５６】
図７は、図５に示す操作画面３３０に対してオペレータによる操作が行われた後に表示される操作画面３３１を示す図である。図７では、図５に示す操作画面３３０に表示されている設定キー６ｋが操作され、運転条件「優先参加回数」の設定値が「３０」から「２５」に変更された状態を示す。
【００５７】
ここに示す例では、オペレータが設定キー６ｋを操作したことにより、変更部３０１が順序データ３１１における順位を「１１位」から「１０位」に繰り上げたために、設定キー６ｊと設定キー６ｋの表示位置が入れ替わっている。また、本実施の形態では、先述のように、基準順位が「１０位」に設定されていることから、「１０位」に繰り上がった設定キー６ｋが縮小されずに表示される一方で、「１１位」に繰り下がった設定キー６ｊは縮小されて表示されている。
【００５８】
このように、オペレータによる設定キー６の操作によって順序データ３１１における当該設定キー６の順位を繰り上げるように順序データ３１１を変更することにより、オペレータが通常の設定操作を行うだけで、操作画面３３０が自動的にカスタマイズされる。特に、操作された設定キー６の順位を繰り上げることにより、操作頻度の高い設定キー６ほど順位が高くなり、タッチパネル３３における表示位置が先になる。したがって、使用頻度の高い設定キー６ほど先に表示されるので、オペレータの利便性が向上する。
【００５９】
なお、操作された設定キー６の順序データ３１１における順位を繰り下げるように変更してもよい。例えば、設定キー６をダブルクリック操作すると、当該設定キー６の順位が繰り下がるように変更されてもよい。これにより、例えば、誤って設定キー６に触れてしまったことによって順序が変更された場合に、元の位置に戻すことができる。
【００６０】
本実施の形態における組合せ計量装置１では、順序表示ボタン７を操作することによって表示される入力欄にオペレータが新たな順位（数値）を入力することにより、操作された順序表示ボタン７に隣接して表示されている設定キー６の順位を新たな順位に変更することも可能とされている。すなわち、運転条件を設定・変更する操作によって間接的に順序データ３１１を変更するだけでなく、直接的に順序データ３１１を変更することも可能とされている。
【００６１】
また、オペレータによる設定キー６の操作順に応じて順序データ３１１を変更してもよい。すなわち、運転条件を変更する処理が全て完了した時点で、それまでに操作された設定キー６と、その操作順序に応じて順序データ３１１を変更すればよい。これにより、次回から、オペレータの好みの操作順に従ってタッチパネル３３に設定キー６が表示されるので、オペレータの利便性が向上する。
【００６２】
本実施の形態では、図５に示す設定キー６ｊは、いずれかの丸ボタンが操作されるだけで、制御データ３１０における当該設定キー６ｊに対応した運転条件（平均値制御の有無）が変更される。一方で、設定キー６を操作することにより、例えば入力欄を表示させた上で、当該入力欄に操作部３２から文字入力がされることによって、制御データ３１０の当該運転条件の設定値が変更される場合もある。すなわち、タッチパネル３３に表示された複数の設定キー６は個々の運転条件を設定するためにオペレータによって操作されるが、「運転条件を設定するために操作される」とは、当該設定キー６を操作するだけで対応する運転条件の設定を完了することができる設定キー６に限定する趣旨ではない。
【００６３】
以上のように、組合せ計量装置１は、本装置における個々の運転条件を設定するためにオペレータによって操作される複数の設定キー６と、複数の設定キー６を表示するタッチパネル３３と、複数の設定キー６の個々の表示順序を順序データ３１１として記憶する記憶部３１と、記憶部３１に記憶された順序データ３１１に示される表示順序に従って、複数の設定キー６の配置位置を決定することによりタッチパネル３３に複数の設定キー６を表示させる表示制御部３００と、記憶部３１に記憶された順序データ３１１に示される表示順序をオペレータの操作に応じて変更する変更部３０１とを備えることにより、オペレータの操作に応じてタッチパネル３３における設定キー６の配置が変更されるので、オペレータに応じたレイアウトに変更でき、利便性が向上する。
【００６４】
＜２．  変形例＞
以上、本発明の実施の形態について説明してきたが、本発明は上記実施の形態に限定されるものではなく様々な変形が可能である。
【００６５】
例えば、組合せ計量装置１が備える機能ブロックは、ＣＰＵ３０がプログラムに従って動作することにより実現されると説明したが、これらの機能ブロックの機能の一部または全部を専用の論理回路で実現してもよい。
【００６６】
また、上記実施の形態では、順序データ３１１における順位が基準順位より低い設定キー６を、基準順位以上の設定キー６より小さく縮小して表示させると説明した。しかし、表示制御部３００は、複数の設定キー６のうち、タッチパネル３３における初期表示領域に配置されない設定キー６を、初期表示領域に配置される設定キー６に比べて小さく縮小して表示させるように構成してもよい。このように構成することによっても、縮小して表示されている設定キー６が操作頻度の低いことを容易にオペレータに知らせることができる。
【００６７】
また、表示制御部３００は、順序データ３１１における順位が基準順位より低い設定キー６を、タッチパネル３３における初期表示領域に配置されない設定キー６として表示させてもよい。これにより、操作頻度の低い設定キー６が初期表示領域から除外されるので、目的の設定キーを容易に確認できるとともに、目的外の設定キー６を誤って操作することを抑制できる。
【００６８】
複数の設定キー６のうち、オペレータによって指定された設定キー６以降の順位の設定キー６を、タッチパネルにおける初期表示領域に配置されない設定キー６として表示させてもよい。
【００６９】
また、上記実施の形態では、表示ウィンドウ４において、設定キー配置画像４０をスクロールバー５によって連続的にスクロールさせると説明したが、表示ウィンドウ４よりもサイズの大きい設定キー配置画像４０の全域をタッチパネル３３に表示させる手法はこれに限定されるものではない。例えば、設定キー配置画像４０を３枚のページ画像に分割し、初めて操作画面が表示されるときに３枚のうちの最初のページ画像を表示する。そして、オペレータがページをめくるよう指示を与えたときに、順次、次のページ画像に切り替えるように構成してもよい。
【図面の簡単な説明】
【００７０】
【図１】本発明に係る組合せ計量装置を示す概観図である。
【図２】組合せ計量装置の構成を示すブロック図である。
【図３】制御部が備える機能ブロックをデータの流れとともに示す図である。
【図４】表示制御部によってタッチパネルに表示される操作画面を例示する図である。
【図５】表示制御部によってタッチパネルに表示される操作画面を例示する図である。
【図６】表示制御部によってタッチパネルに表示される操作画面を例示する図である。
【図７】図５に示す操作画面に対してオペレータによる操作が行われた後に表示される操作画面を示す図である。
【符号の説明】
【００７１】
１  計量装置
２  本体部
２０  分散フィーダ
２１  トラフ
２２  プールホッパ
２３  計量ホッパ
２４  計量部
２５  排出シュート
３  制御部
３０  ＣＰＵ
３００  表示制御部
３０１  変更部
３１  記憶部
３１０  制御データ（運転条件）
３１１  順序データ（表示順序）
３２  操作部
３３  タッチパネル
３３０，３３１  操作画面
４  表示ウィンドウ
４０  設定キー配置画像
５  スクロールバー
６，６ａ〜６ｕ  設定キー
７  順序表示ボタン
【図１】
2009264756.tif 000003
【図２】
2009264756.tif 000004
【図３】
2009264756.tif 000005
【図４】
2009264756.tif 000006
【図５】
2009264756.tif 000007
【図６】
2009264756.tif 000008
【図７】
2009264756.tif 000009